(57)【要約】      （修正有）【課題】キャップを通して接続された医療用チューブに捻れや変形が発生することが回避される、医療用コネクタを提供する。【解決手段】医療用チューブセットを医療用容器に接続するためのコネクタ１０であって、容器に接続可能なカラー１２と、チューブセットのチューブを受けるための開口３０を少なくとも１つ備えるキャップ１４と、環状のシール１６と、を備える。キャップ１４は、カラー１２においてカラーの内側表面と、シール１６との間に位置する。キャップ１４は、カラー１２に対して回転可能である。カラー１２は、上端及び下端が開口した略円柱状の側壁を備え、環状フランジが、側壁の上端において内側に突出している。キャップ１４は円盤状の基部を備え、基部は、少なくとも１つの開口を画成するとともに、外側に環状リムを有し、環状リムは、カラー１２において環状フランジの下側表面と、シール１６との間に位置する。【選択図】図１
2017185222.tif 000002
【特許請求の範囲】
【請求項１】
医療用チューブセットを医療用容器に接続するためのコネクタであって、
容器に接続可能なカラーと、
チューブセットのチューブを受けるための開口を少なくとも１つ備えるキャップと、
環状のシールと、を備え、
前記キャップは、前記カラーにおいて前記カラーの内側表面と、前記シールとの間に位置し、
前記キャップは、前記カラーに対して回転可能であり、
前記カラーは、上端及び下端が開口した略円柱状の側壁を備え、
環状フランジが、前記側壁の上端において内側に突出しており、
前記キャップは、円盤状の基部を備え、
前記基部は、少なくとも１つの開口を画成するとともに、外側に環状リムを有し、
前記環状リムは、前記カラーにおいて前記環状フランジの下側表面と、前記シールとの間に位置する、コネクタ。
【請求項２】
前記シールは、前記カラーの内側表面と、前記キャップの表面とに接触する、請求項１に記載のコネクタ。
【請求項３】
円柱状のチューブ受け部が前記キャップから突出し、前記開口の各々を取り囲む、請求項１又は２に記載のコネクタ。
【請求項４】
前記キャップは４つの開口を備える、請求項１から３のいずれか一項に記載のコネクタ。
【請求項５】
前記開口は２つ以上の異なる径を持つ、請求項４に記載のコネクタ。
【請求項６】
請求項１に記載のコネクタを備え、
前記キャップは４つの開口を備え、
前記開口の各々を通してチューブが適合される、チューブセット。
【請求項７】
前記コネクタが接続された容器から医療機器に液体を供給するために、第１のチューブ及び第２のチューブを備える、請求項６に記載のチューブセット。
【請求項８】
前記コネクタが接続された容器と医療機器との間に気体を通すために、第３のチューブを備える、請求項６又は７に記載のチューブセット。
【請求項９】
外部供給源から前記コネクタが接続された容器に気体を供給するために、第４のチューブを備える、請求項６から８のいずれか一項に記載のチューブセット。
【発明の詳細な説明】
【技術分野】
【０００１】
本発明は、医療用のチューブセットを、内視鏡検査等医療処置のための医療用容器、例えば水ボトルなどに接続するためのコネクタに関する。特に本発明は、チューブセットのチューブを受けるためのキャップを備えたコネクタに関する。このキャップは、コネクタのキャップ以外の部品、及びこのコネクタを組み込んだチューブセットに対して回転可能である。
【背景技術】
【０００２】
内視鏡検査を実施する場合、通常は液体（例えば水）及び気体（例えばＣＯ２）を内視鏡に対して供給する。内視鏡の遠位端でレンズを洗浄するために、あるいは被視領域を洗滌又は流し洗いして残屑を除去するために、水その他の液体が使われてもよい。また検査中の体腔に通気をするために、気体が供給されてもよい。多くの現行システムでは２つの独立した水ボトル、すなわちレンズ洗浄用の水を供給するボトルと、洗滌用の水を供給するボトルとが与えられる。それぞれにおいて、水を通すためのチューブが、ボトルに取り付けられたキャップを貫通し、水面下に自由端を有してよい。チューブの他端は、内視鏡に接続されるだろう。通気ガスが、第２のチューブを通してボトルの１つに供給され、水上の空間を満たしてよい。通気ガスをボトルから内視鏡に送るために、第３のチューブが与えられてもよい。
【発明の概要】
【発明が解決しようとする課題】
【０００３】
この場合ユーザは、必要に応じて、交換／補充のために２つの水ボトルを用意する必要がある。従ってそれぞれのボトルにチューブセットが接続される必要がある。更に、異なるボトルキャップが、異なるチューブセットに適合する必要がある。これは、システムの複雑さとセットアップ時間の増加を招く。途中でボトルの交換が必要となった場合、処置が遅れる可能性もある。
【課題を解決するための手段】
【０００４】
本発明は、医療用チューブセットを医療用容器に接続するためのコネクタであって、容器に接続可能なカラーと、チューブセットのチューブを受けるための開口を少なくとも１つ備えるキャップと、環状のシールと、を備え、前記キャップは、前記カラーにおいて前記カラーの内側表面と、前記シールとの間に位置し、前記キャップは、前記カラーに対して回転可能であり、前記カラーは、上端及び下端が開口した略円柱状の側壁を備え、環状フランジが、前記側壁の上端において内側に突出しており、前記キャップは、円盤状の基部を備え、前記基部は、少なくとも１つの開口を画成するとともに、外側に環状リムを有し、前記環状リムは、前記カラーにおいて前記環状のの下側表面と、前記シールとの間に位置する、コネクタを提供する。
【０００５】
従って、カラーが容器に取り付けられるとき、あるいは容器から取り外されるとき、キャップが固定されたまま、カラーは回転することができる。これにより、キャップを通して接続されたチューブに捻れや変形が発生することが回避される。
【０００６】
前記シールは、前記カラーの内側表面と、前記キャップの表面とに接触してもよい。
【０００７】
好ましくは、円柱状のチューブ受け部が前記キャップから突出し、前記開口の各々を取り囲む。
【０００８】
前記キャップは４つの開口を備えてよく、前記開口は２つ以上の異なる径を持ってよい。
【０００９】
本発明はまた、前述のコネクタを備え、前記キャップは４つの開口を備え、開口の各々を通してチューブが適合される、チューブセットを提供する。
【００１０】
従って、求められる異なる応用に適応して使用可能な、混合チューブセットが与えられる。
【００１１】
好ましい実施形態では、容器から医療機器に液体を供給するために、第１のチューブ及び第２のチューブが備えられる。容器と医療機器との間に気体を通すために、第３のチューブが備えられてもよい。外部供給源から容器に気体を供給するために、第４のチューブが備えられてもよい。
【図面の簡単な説明】
【００１２】
以下、添付の図面を参照しながら、例示のみを用いて本発明を詳細に説明する。
【００１３】
【図１】本発明の一実施形態に係るコネクタを構成する部品の分解図である。
【図２】組み立てられたコネクタの斜視図である。
【図３】図２の組み立てられたコネクタの上面を示す。
【図４】図３の直線Ａ−Ａに沿った断面を示す。
【図５】コネクタを組み込んだチューブセットの前面を示す。
【図６】図５のチューブセットの前面を示す。
【図７】ボトルに接続された図５及び図６のチューブセットの一部を示す。
【発明を実施するための形態】
【００１４】
本発明に係るコネクタ１０は、環状のカラー（ｃｏｌｌａｒ）１２と、チューブセットのチューブを受けるためのキャップ１４と、シール（ｓｅａｌ）１６とを含む。
【００１５】
カラー１２は、上端と下端とが開口した環状の側壁１８を含む。カラー１２の外側は、使用時のグリップを助けるためのリブ２０、又はその他の表面形状を備えてよい。カラー１２の内側には、容器に接続する手段、例えば水ボトルのネックにねじ込むための筋２２が与えられる。筋２２は比較的大きなピッチと比較的深い筋により形成されることが好ましく、これにより、異なる径を持つ多様な複数のボトル又は容器のネックに適合することが可能となる。環状フランジ２４が側壁１８から内側に突出し、カラー１２の開いた上縁を取り囲む。
【００１６】
キャップ１４は、外側に環状リム２８を備える円盤状の基部２６から構成される。チューブセットのチューブを受けるために、複数の開口３０が基部２６を通して与えられる。本例ではキャップ１４には４つの開口が与えられる。これらの各開口は、基部２６から上方に突出したチューブ受け部３２によって取り囲まれる。これらの開口は、異なるチューブに適合するために、異なる径を与えられてよい。本例では、より大きな径を持つ２つの開口と、より小さな径を持つ２つの開口とが与えられる。チューブ受け部３２は、キャップ１４を貫通するチューブを支持し保護する。
【００１７】
図４に最もよく示されるように、組み立てられたとき、キャップ１４の環状リム２８は、カラー１２において環状フランジ２４と、シール１６との間で支えられる。キャップ１４はカラー１２に対して回転可能である。従って、カラー１２がボトルのネックにねじ込まれるとき、あるいはボトルのネックから緩められるとき、キャップ１４が固定されたまま、カラー１２は回転することができる。これにより、開口３０を通して接続されたチューブと、チューブ受け部３２とに捻れが発生しない。
【００１８】
使用中に、求められるチューブセットのチューブが、開口３０と円柱状のチューブ受け部３２とを通して適合される。コネクタ１０は、水ボトルその他の容器のネックに取り付けられる。カラー１２は、ボトルのネックにねじ込まれるとき、固定されたままのキャップ１４に対して回転可能である。これにより、チューブセットのチューブに捻れや変形が加わることが回避される。同様に、処置中あるいは処置終了時にボトルが空になり交換が必要になった場合、キャップ１４が回転することにより、キャップ１４を通して適合されたチューブに捻れや変形が発生することなく、カラー１２がボトルのネックから緩められることが可能となる。
【００１９】
前述の通り、キャップ１４は、様々な径を持つチューブ受け部３２を４つ有することが望ましい。これらのチューブ受け部は、以下のような様々なチューブ、すなわちボトルに気体を供給するチューブや、ボトルから内視鏡に気体を通すチューブや、レンズ洗浄のためにボトルから内視鏡に水を通すチューブや、被検査領域を洗滌するために内視鏡に水を通すチューブなどに適応することができる。必要なチューブ数が４つより少なく開口３０とチューブ受け部３２のすべてが必要でない場合、これらは開口したままボトル内に空気が通るようにしてもよく、あるいは使われないチューブ受け部３２が適当なストッパや栓で閉じられてもよい。
【００２０】
このようにコネクタ１０は、異なる形状のチューブセットが必要となる種々の異なる処置が必要な場合や、病院や医療施設が、異なる用途に適応可能な単一のコネクタさえストックしておけばよい場合などに利用することができる。
【００２１】
図５及び図６は、コネクタ１０を組み込み、キャップ１４を通して適合された４つのチューブ６２、６８、７２、７４を持つチューブセット６０を示す。
【００２２】
図７は、典型的な水ボトル５８に接続されたときの、コネクタ１０とチューブの部品とを示す。
【００２３】
本例では第１のチューブ６２は洗滌チューブ６２を備える。これは、被検査領域を洗滌する目的で、コネクタ１０が接続されたボトルから内視鏡に水（又はその他の液体）を通すために使われる。洗滌チューブ６２の近位端６２ａはコネクタ１０を貫通し、ボトル内部に十分入る長さを有して延びている。これにより、コネクタ１０がネックに固定されると、近位端６２ａはボトルの底面に接近するだろう。洗滌チューブ６２の遠位端６２ｂは、洗滌チューブ６２を内視鏡に接続するためのコネクタ６４を含む。典型的には、コネクタ６４は、内視鏡からチューブ６２への液体の逆流を防ぐための一方向弁を含むだろう。通常は洗滌チューブ６２に、従来型のクランプ６６が与えられるだろう。図では、クランプ６６は開放位置で示されている。しかし閉鎖位置では、クランプ６６はチューブ６２を絞って閉鎖し、チューブ６２が内視鏡から取り外されたときに液体が漏出することを防ぐ。
【００２４】
第２のチューブ６８は洗浄チューブ６８を備える。これは、レンズを洗浄して像が不鮮明になることを防ぐ目的で、コネクタ１０が接続されたボトルから内視鏡に水（又はその他の液体）を通すために使われる。洗滌チューブ６２と同様、洗浄チューブ６８は、ボトル内部に十分入るように延びた近位端６８ａを含む。これにより、使用中に近位端６８ａは、ボトルの底面に接近するだろう。遠位端６８ｂは、洗浄チューブ６８を内視鏡に接続するためのコネクタ７０を含む。後述の通り、コネクタ７０は、第３のチューブ７２の端部におけるコネクタと共通であってもよい。洗浄チューブ６８が内視鏡から取り外されたときの液体漏出を防ぐ目的で、洗浄チューブ６８にもチューブ６８を閉鎖するためのクランプ６６が取り付けられてよい。
【００２５】
第３のチューブは気体チューブ７２（空気チューブとも呼ばれる）である。これは、コネクタ１０が接続されたボトルから内視鏡に空気（又はその他の気体）を供給するために使われる。近位端７２ａは、コネクタ１０のシール１６の直下で終端する。これにより、近位端７２ａは、容器内の水位より十分上方に位置する。遠位端７２ｂは、内視鏡への接続のためのコネクタを含む。このコネクタは、洗浄チューブ６８のためのコネクタ７０と共通であってもよい。
【００２６】
第４のチューブ７４は気体供給チューブである。これは、例えばボトル内にＣＯ２を供給するためのチューブである。近位端７４ａはシール１６の直下で終端し、容器内の水位より十分に上方にある。遠位端７４ｂは、外部の気体供給源に接続するために、逆止弁を有するコネクタ７６を備える。
【００２７】
使用中、コネクタ１０をネックにねじ込むことにより、チューブセット６０はボトル等の容器に接続される。洗滌チューブ６２と洗浄チューブ６８は、ボトル内部の液体内に延びる。外部からの気体供給が使われる場合、この気体はボトル内部に送られ、水の上部の空間を満たす。気体はボトルを加圧し、洗滌チューブ６２及び洗浄チューブ６８への水の流入を促進する。通気を目的とした気体が、ボトルから気体チューブ７２を通して内視鏡に送られてもよい。
【００２８】
チューブセット６０は、外部からの気体供給を受けずに使われてもよい。この場合、気体供給チューブ７４は使用されず、遠位端７４ｂにあるコネクタの逆止弁を用いて閉鎖される。この場合、圧縮空気は気体供給チューブ７４とは別の経路で内視鏡に供給され、内視鏡は制御ボタンを含む。この制御ボタンがユーザによって押されると、空気が、内視鏡のための別の供給源から気体チューブ７２を通してボトルに逆送される。この空気がボトルを加圧し、水を強制的に洗浄チューブ６８に流入させる。
【００２９】
以上述べた通り、チューブセット６０は１つの混合システムを提供する。このシステムにより、単一の水ボトルを、洗滌と洗浄の双方の目的で内視鏡に液体を供給するために使用することができる。またこのシステムにより、通気と通気以外の双方の目的で、外部供給源から内視鏡に気体を供給することができる。
【００３０】
病院は、前述の組み立てられた混合チューブセット６０をストックしておけばよい。この混合チューブセット６０は、４つのチューブをすべて使用するか、あるいは使用しないチューブをクランプ６６又は関連するコネクタの逆止弁を用いて閉鎖することにより、所望の目的で使用することができる。
【００３１】
コネクタ１０及びチューブセット６０の部品は、簡単なプラスチック成形品で形成することができる。これらは１回限りの使用を目的に使用後に廃棄してもよいし、殺菌及び再使用に適した材料から形成してもよい。
【図１】
2017185222.tif 000003
【図２】
2017185222.tif 000004
【図３】
2017185222.tif 000005
【図４】
2017185222.tif 000006
【図５】
2017185222.tif 000007
【図６】
2017185222.tif 000008
【図７】
2017185222.tif 000009